(57)【要約】【課題】  大型化することなくモータステータの冷却を効率良く行うことができる車両駆動用モータを提供する。【解決手段】  この車両駆動用モータは、筒状のモータケース１の内周に設けられた環状のステータコア４、およびこのステータコア４に設けられたステータコイル５を有するステータ２と、前記ステータコア４の内周側に位置して前記ステータ２に対して回転自在なロータ３とでなる。モータケース１に、その内径面の軸方向に互いに離れた位置にそれぞれに開口する給油路８および排油路９を設ける。これらの給油路８および排油路９に連通する１つ以上のステータコア溝１１を、ステータコア４の外径面に軸方向に延ばして設ける。これにより、給油路８からステータコア溝１１を経て排油路９へと潤滑油を流す。【選択図】      図１
2010088287.tif 000002
【特許請求の範囲】
【請求項１】
筒状のモータケースの内周に設けられた環状のステータコア、およびこのステータコアに設けられたステータコイルを有するステータと、前記ステータコアの内周側に位置して前記ステータに対して回転自在なロータとでなる車両駆動用モータにおいて、
前記モータケースに設けられモータケースの内径面の軸方向に互いに離れた位置にそれぞれに開口する給油路および排油路と、前記ステータコアの外径面に軸方向に延びて設けられ前記給油路および排油路に連通する１つ以上のステータコア溝とを備え、前記給油路から前記ステータコア溝を経て前記排油路へと潤滑油を流すようにしたことを特徴とする車両駆動用モータ。
【請求項２】
請求項１において、前記給油路は、モータケースの一端面から軸方向に延びて設けられた軸方向給油路部と、モータケースの内径面に周方向に延びて設けられ前記軸方向給油路部に連通する給油周溝部とでなり、前記排油路は、モータケースの他端面から軸方向に延びて設けられた軸方向排油路部と、モータケースの内径面に周方向に延びて設けられ前記軸方向排油路部に連通する排油周溝部とでなる車両駆動用モータ。
【請求項３】
請求項１または請求項２において、前記ステータコア溝は前記ステータコアの一端から他端にわたって設けられ、そのステータコア溝の両端は、ステータコアの両端に設けられたリング状の蓋部材で閉じられている車両駆動用モータ。
【請求項４】
請求項１または請求項２において、前記ステータコア溝は前記ステータコアの一端から他端にわたって設けられ、そのステータコア溝の一端が、ステータコアの一端に設けられたリング状の蓋部材で閉じられると共に、ステータコア溝の他端が、前記モータケースにおける内径面がステータコア配置部よりも小径に形成された小径部の段面で閉じられ、前記蓋部材から前記ステータコア溝にわたって軸方向に貫通し前記モータケース小径部に螺合させたボルトにより前記ステータコアがモータケースに固定されている車両駆動用モータ。
【請求項５】
請求項３において、前記ステータコア溝の両端を閉じる蓋部材には、ステータコア溝に連通し前記ステータコイルに向けて開口するコイル冷却用の孔または溝が設けられている車両駆動用モータ。
【請求項６】
請求３において、前記ステータコア溝の両端を閉じる蓋部材は、軸方向に延びて前記ステータコアの端面に当接する横片部と、径方向に延びて前記モータケースの内径面に当接する立片部とでなる断面Ｌ字状とされ、前記給油路は、モータケースの一端面から軸方向に延びて設けられた軸方向給油路部と、この軸方向給油路部に連通し径方向に延びて前記蓋部材の内側位置におけるモータケースの内径面に開口する径方向給油路部とでなり、前記排油路は、モータケースの他端面から軸方向に延びて設けられた軸方向排油路部と、この軸方向排油路部に連通し径方向に延びて前記蓋部材の内側位置におけるモータケースの内径面に開口する径方向排油路部とでなる車両駆動用モータ。
【請求項７】
請求項６において、前記ステータコア溝の両端を閉じる蓋部材には、前記ステータコイルに向けて開口するコイル冷却用の孔が設けられている車両駆動用モータ。
【請求項８】
請求項１ないし請求項７のいずれか１項において、前記ステータは、前記ステータイルを巻回した個別コア部を環状に配列してあり、隣接する前記個別コア部間を高熱伝導率を有する充填材でモールドした車輪駆動用モータ。
【請求項９】
筒状のモータケースの内周に設けられた環状のステータコア、およびこのステータコアに設けられたステータコイルを有するステータと、前記ステータコアの内周側に位置して前記ステータに対して回転自在なロータとでなる車両駆動用モータにおいて、
前記ステータは、前記ステータコアの各ティース部にステータコイルを巻回した個別コア部を環状に配列してなり、前記各ティース部を除く前記ステータの内周面および両側の端面を覆い外周縁が前記モータケースの内周面に密接するリング状のステータカバーを設け、前記モータケースに給油路および排油路を設け、これら給油路および排油路を、このモータケースの内径面の軸方向に互いに離れた位置で、かつ前記モータケースとステータカバーの内部にできる空洞に対して開口させ、前記給油路から供給される冷却油兼用の潤滑油により、前記ステータコイルおよびステータコイルを前記空洞に満たされる油浴に浸漬状態とする車輪駆動用モータ。
【請求項１０】
請求項９において、前記ステータコアの外径面に軸方向に延びて、前記空洞の前記給油路側部分および排油路側部分の間に連通する１つ以上のステータコア溝を設けた車輪駆動用モータ。
【発明の詳細な説明】
【技術分野】
【０００１】
この発明は、自動車、鉄道車両などの駆動源として用いられる車両駆動用モータに関する。
【背景技術】
【０００２】
車両駆動用モータ、とくに電気自動車やハイブリッド自動車の駆動源として用いられる駆動用モータは、省エネ化のために小型軽量で最大出力が得られることが求められている。大出力モータを小型化する場合、その損失による発熱をどのように冷却するかが大きな問題となる。この種の車両駆動用モータにおいて、モータロータを潤滑油で冷却する方式のものも試みられている。
【先行技術文献】
【特許文献】
【０００３】
【特許文献１】特開平９−１５４２５８号公報
【発明の概要】
【発明が解決しようとする課題】
【０００４】
車両駆動用モータでは、とくに大電流によるステータコイルの発熱を冷却することが非常に重要であるが、大型化を避けつつステータコイルの発熱を冷却する構造は開発されていない。また、車両駆動用モータでは、一般に減速ギア等を一体化することが多く、潤滑油による油冷と水冷を併用する方式が用いられるが、これではモータケースが大型化してしまい、小型化の阻害要因となる。
【０００５】
この発明の目的は、大型化することなくモータステータの冷却を効率良く行うことができる車両駆動用モータを提供することである。
【課題を解決するための手段】
【０００６】
この発明の車両駆動用モータは、筒状のモータケースの内周に設けられた環状のステータコア、およびこのステータコアに設けられたステータコイルを有するステータと、前記ステータコアの内周側に位置して前記ステータに対して回転自在なロータとでなる車両駆動用モータにおいて、前記モータケースに設けられモータケースの内径面の軸方向に互いに離れた位置にそれぞれに開口する給油路および排油路と、前記ステータコアの外径面に軸方向に延びて設けられ前記給油路および排油路に連通する１つ以上のステータコア溝とを備え、前記給油路から前記ステータコア溝を経て前記排油路へと潤滑油を流すようにしたことを特徴とする。
この構成によると、モータケースの給油路に供給された潤滑油は、ステータコアの外径面に軸方向に延びて設けられた１つ以上のステータコア溝の一端に導入され、それらのステータコア溝の他端へと流れ、排油路を経て外部に排出される。複数のステータコア溝を、例えばステータコアの外径面の周方向に等配して設けることにより、全体の構成を大型化することなく、ステータコイルでの短時間の発熱を、他の構成部材や外部の冷却部材全体に速やかに伝達して、ステータの冷却効率を向上させることができる。また、冷却のためにステータを複雑な構成とするものではないので、外部冷却に寄与する面積を確保でき、外部空冷あるいは外部水冷の効率も向上させることができる。
【０００７】
この発明において、前記給油路は、モータケースの一端面から軸方向に延びて設けられた軸方向給油路部と、モータケースの内径面に周方向に延びて設けられ前記軸方向給油路部に連通する給油周溝部とでなり、前記排油路は、モータケースの他端面から軸方向に延びて設けられた軸方向排油路部と、モータケースの内径面に周方向に延びて設けられ前記軸方向排油路部に連通する排油周溝部とでなるものとしても良い。
この構成の場合、給油路に供給された潤滑油は、給油周溝部を経て周方向に流れるので、例えばステータコアの外径面の周方向に等配して設けられる複数のステータコア溝に分配して潤滑油を流すことができる。また、各ステータコア溝を流れた潤滑油は排油周溝部を周方向に流れて軸方向排油路部に集められる。これにより、簡単な構成で、ステータコアの全外径面に均等に潤滑油を流すことができ、冷却効率をより向上させることができる。
【０００８】
この発明において、前記ステータコア溝は前記ステータコアの一端から他端にわたって設けられ、そのステータコア溝の両端は、ステータコアの両端に設けられたリング状の蓋部材で閉じられていても良い。
【０００９】
この発明において、前記ステータコア溝は前記ステータコアの一端から他端にわたって設けられ、そのステータコア溝の一端が、ステータコアの一端に設けられたリング状の蓋部材で閉じられると共に、ステータコア溝の他端が、前記モータケースにおける内径面がステータコア配置部よりも小径に形成された小径部の段面で閉じられ、前記蓋部材から前記ステータコア溝にわたって軸方向に貫通し前記モータケース小径部に螺合させたボルトにより前記ステータコアがモータケースに固定されていても良い。
この構成の場合、ステータコアをモータケースの内周に固定するために、モータケースやステータコアに複雑な構造を採用することなく、ステータコア溝をボルトの挿通孔として代用することにより、ステータコアをモータケースの内周に簡単に固定することができる。
【００１０】
この発明において、前記ステータコア溝の両端を閉じる蓋部材には、ステータコア溝に連通し前記ステータコイルに向けて開口するコイル冷却用の孔または溝が設けられていても良い。この構成の場合、給油路からステータコア溝に供給される潤滑油の一部が、蓋部材の孔または溝から発熱源であるステータコイルに噴射されるので、ステータコイルを直冷することができ、ステータの冷却効率をより向上させることができる。
【００１１】
この発明において、前記ステータコア溝の両端を閉じる蓋部材は、軸方向に延びて前記ステータコアの端面に当接する横片部と、径方向に延びて前記モータケースの内径面に当接する立片部とでなる断面Ｌ字状とされ、前記給油路は、モータケースの一端面から軸方向に延びて設けられた軸方向給油路部と、この軸方向給油路部に連通し径方向に延びて前記蓋部材の内側位置におけるモータケースの内径面に開口する径方向給油路部とでなり、前記排油路は、モータケースの他端面から軸方向に延びて設けられた軸方向排油路部と、この軸方向排油路部に連通し径方向に延びて前記蓋部材の内側位置におけるモータケースの内径面に開口する径方向排油路部とでなるものとしても良い。
この構成の場合、給油路に供給された潤滑油は、給油路の径方向給油路部から、ステータコア溝の一端を閉じる蓋部材のリング状となった内部空間を経て、各ステータコア溝の一端側に導入される。各ステータコア溝の他端に流れた潤滑油は、ステータコア溝の他端を閉じる蓋部材のリング状となった内部空間を経て、排油路の径方向排油路部から外部に排出される。つまり、ステータコア溝の一端を閉じる蓋部材のリング状の内部空間が給油路から導入される潤滑油を周方向に配置される各ステータコア溝に分配供給する経路となり、ステータコア溝の他端を閉じる蓋部材のリング状の内部空間が各ステータコア溝を流れた潤滑油を排油路の径方向排油路部に集める経路となる。このため、給油路や排油路の一部として、周方向に延びる給油周溝部や排油周溝部をモータケースの内径面に設ける必要がなく、潤滑油の経路を簡単に構成できる。
【００１２】
この構成の場合に、ステータコア溝の両端を閉じる蓋部材に、前記ステータコイルに向けて開口するコイル冷却用の孔が設けられていても良い。この場合にも、給油路からステータコア溝に供給される潤滑油の一部が、蓋部材の孔から発熱源であるステータコイルに噴射されるので、ステータコイルを直冷することができ、ステータの冷却効率をより向上させることができる。
【００１３】
この発明において、前記ステータは、前記ステータイルを巻回した個別コア部を環状に配列してあり、隣接する前記個別コア部間を高熱伝導率を有する充填材でモールドしても良い。
このように各個別コア部間を、高熱伝導率を有する充填材でモールドした場合、ステータにおける潤滑油で冷却できない部分のコイル発熱を、熱容量の大きなステータコアに放熱することができ、放熱効率をより向上させることができる。
【００１４】
この発明における他の車輪駆動用モータは、筒状のモータケースの内周に設けられた環状のステータコア、およびこのステータコアに設けられたステータコイルを有するステータと、前記ステータコアの内周側に位置して前記ステータに対して回転自在なロータとでなる車両駆動用モータにおいて、
前記ステータは、前記ステータコアの各ティース部にステータコイルを巻回した個別コア部を環状に配列してなり、前記各ティース部を除く前記ステータの内周面および両側の端面を覆い外周縁が前記モータケースの内周面に密接するリング状のステータカバーを設け、前記モータケースに給油路および排油路を設け、これら給油路および排油路を、このモータケースの内径面の軸方向に互いに離れた位置で、かつ前記モータケースとステータカバーの内部にできる空洞に対して開口させ、前記給油路から供給される冷却油兼用の潤滑油により、前記ステータコイルおよびステータコイルを前記空洞に満たされる油浴に浸漬状態とする。
このように、各個別コア部の内周を除くステータ全体をステータカバーで覆い、ステータコイルの全体およびステータコアの殆どの部分を油浴に浸漬状態とする油冷構造とした場合、ステータの冷却をより一層効率良く行うことができる。
【００１５】
このようにステータカバーを設ける場合に、前記ステータコアの外径面に軸方向に延びて、前記給油路および排油路に連通する１つ以上のステータコア溝を設けた場合は、ステータの冷却をさらに効率良く行うことができる。
【発明の効果】
【００１６】
この発明の車両駆動用モータは、筒状のモータケースの内周に設けられた環状のステータコア、およびこのステータコアに設けられたステータコイルを有するステータと、前記ステータコアの内周側に位置して前記ステータに対して回転自在なロータとでなる車両駆動用モータにおいて、前記モータケースに設けられモータケースの内径面の軸方向に互いに離れた位置にそれぞれに開口する給油路および排油路と、前記ステータコアの外径面に軸方向に延びて設けられ前記給油路および排油路に連通する１つ以上のステータコア溝とを備え、前記給油路から前記ステータコア溝を経て前記排油路へと潤滑油を流すようにしたため、大型化することなくモータステータの冷却を効率良く行うことができる。
【００１７】
この発明のおける他の車輪駆動用モータは、筒状のモータケースの内周に設けられた環状のステータコア、およびこのステータコアに設けられたステータコイルを有するステータと、前記ステータコアの内周側に位置して前記ステータに対して回転自在なロータとでなる車両駆動用モータにおいて、前記ステータは、前記ステータコアの各ティース部にステータコイルを巻回した個別コア部を環状に配列してなり、前記各ティース部を除く前記ステータの内周面および両側の端面を覆い外周縁が前記モータケースの内周面に密接するリング状のステータカバーを設け、前記モータケースに給油路および排油路を設け、これら給油路および排油路を、このモータケースの内径面の軸方向に互いに離れた位置で、かつ前記モータケースとステータカバーの内部にできる空洞に対して開口させ、前記給油路から供給される冷却油兼用の潤滑油により、前記ステータコイルおよびステータコイルを前記空洞に満たされる油浴に浸漬状態とするため、大型化することなくモータステータの冷却を効率良く行うことができる。
【図面の簡単な説明】
【００１８】
【図１】（Ａ）はこの発明の第１の実施形態にかかる車両駆動用モータの正面図、（Ｂ）は（Ａ）におけるＩＢ−ＩＢ矢視断面図である。
【図２】（Ａ）はこの発明の第２の実施形態にかかる車両駆動用モータの正面図、（Ｂ）は（Ａ）におけるIIＢ−IIＢ矢視断面図である。
【図３】（Ａ）はこの発明の第３の実施形態にかかる車両駆動用モータの正面図、（Ｂ）は（Ａ）におけるIII Ｂ−III Ｂ矢視断面図である。
【図４】（Ａ）はこの発明の第４の実施形態にかかる車両駆動用モータの正面図、（Ｂ）は（Ａ）におけるIVＢ−IVＢ矢視断面図である。
【図５】（Ａ）はこの発明の第５の実施形態にかかる車両駆動用モータの正面図、（Ｂ）は（Ａ）におけるＶＢ−ＶＢ矢視断面図である。
【図６】（Ａ）はこの発明の第６の実施形態にかかる車両駆動用モータの正面図、（Ｂ）は（Ａ）におけるVIＢ−VIＢ矢視断面図である。
【発明を実施するための形態】
【００１９】
この発明の第１の実施形態を図１と共に説明する。図１（Ａ）はこの実施形態の車両駆動用モータの正面図を示し、図１（Ｂ）は図１（Ａ）のＩＢ−ＩＢ矢視断面図を示す。この車両駆動用モータは、筒状のモータケース１の内周に設けられたステータ２と、このステータ２の内周側に位置してステータ２に対して回転自在なロータ３とでなる。
【００２０】
ステータ２は、前記モータケース１の内周に設けられた環状のステータコア４と、このステータコア４に設けられたステータコイル５とで構成される。ステータコア４は、詳しくは、環状に配列された個別コア部４ａにそれぞれステータコイル５を巻回したものである。ステータコイル５は非モールド構造である。すなわち、ステータコイル５はモールドしておらず、コイル巻線が露出している。
ロータ３は、環状のロータコア６に、永久磁石７を環状に配列して構成される。この車両駆動用モータは、前記ロータコア６と前記ステータコア４の間にラジアル方向のギャップ部１０を設けたラジアルギャップ型のモータとされている。
【００２１】
図１（Ｂ）に示すように、モータケース１には、冷却液として潤滑油を外部からステータ２に供給するための給油路８と、ステータ２の冷却に使用された潤滑油を回収する排油路９とが設けられている。給油路８は、モータケース１の一端面（同図の左側端面）から軸方向に延びて設けられた軸方向給油路部８ａと、モータケース１の内径面に周方向に延びて設けられ、前記軸方向給油路部８ａに連通する給油周溝部８ｂとでなる。排油路９は、モータケース１の他端面（同図の右側端面）から軸方向に延びて設けられた軸方向排油路部９ａと、モータケース１の内径面に周方向に延びて設けられ、前記軸方向排油路部９ａに連通する排油周溝部９ｂとでなる。
【００２２】
前記ステータコア４の外径面には、軸方向に延びる複数のステータコア溝１１が、周方向に等配して設けられている。これらのステータコア溝１１は、ステータコア４の一端から他端にわたって設けられ、そのステータコア溝１１の両端は、ステータコア４の両端に設けられたリング状の蓋部材１２で閉じられている。前記モータケース１における給油路８の給油周溝部８ｂは、前記ステータコア溝１１の一端側で開口する軸方向位置に配置される。また、前記モータケース１における排油路９の排油周溝部９ｂは、前記ステータコア溝１１の他端側で開口する軸方向位置に配置される。これにより、給油路８から導入される潤滑油がステータコア４の周方向に等配された各ステータコア溝１１の一端側に供給される。また、各ステータコア溝１１に供給された潤滑油は、ステータコア溝１１の他端側から排油路９を経て外部に排出される。
【００２３】
この車両駆動用モータによると、例えば外部から給油ホース（図示せず）によりモータケース１の給油路８に冷却液である潤滑油が圧送されると、その潤滑油は給油路８の給油周溝部８ｂを経て、ステータコア４の外径面の周方向に等配して設けられた各ステータコア溝１１の一端に導入され、ステータコア溝１１の他端へと流れる。その潤滑油は、排油路９の排油周溝部９ｂから軸方向排油路部９ａを経て外部に排出される。これにより、全体の構成を大型化することなく、ステータコイル５での短時間の発熱を、他の構成部材や外部の冷却部材全体に速やかに伝達して、ステータ２の冷却効率を向上させることができる。また、冷却のためにステータ２を複雑な構成とするものではないので、外部冷却に寄与する面積を確保でき、外部空冷あるいは外部水冷の効率も向上させることができる。
【００２４】
また、この実施形態において、給油路８は、モータケース１の一端面から軸方向に延びて設けられた軸方向給油路部８ａと、モータケース１の内径面に周方向に延びて設けられ前記軸方向給油路部８ａに連通する給油周溝部８ｂとでなるので、給油路８に供給された潤滑油は、給油周溝部８ｂを経て周方向に流れ、ステータコア４の外径面の周方向に等配して設けられる複数のステータコア溝１１に分配して潤滑油を流すことができる。
また、排油路９は、モータケース１の他端面から軸方向に延びて設けられた軸方向排油路部９ａと、モータケース１の内径面に周方向に延びて設けられ前記軸方向排油路部９ａに連通する排油周溝部９ｂとでなるので、各ステータコア溝１１を流れた潤滑油が排油周溝部９ｂを周方向に流れて軸方向排油路部９ａに集められる。これにより、簡単な構成で、ステータコアの全外径面に均等に潤滑油を流すことができ、冷却効率をより向上させることができる。
【００２５】
図２は、この発明の第２の実施形態を示す。図２（Ａ）はこの実施形態の車両駆動用モータの正面図を示し、図２（Ｂ）は図２（Ａ）のIIＢ−IIＢ矢視断面図を示す。この車両駆動用モータは、図１に示す実施形態において、モータケース１の内径面におけるステータコア４の配置部の他端側に、ステータコア配置部よりも小径に形成された小径部１ａを設け、この小径部１ａのステータコア４に対向する段面１ａａでステータコア溝１１の他端を閉じている。ステータコア溝１１の一端は、図１の場合と同様にリング状の蓋部材１２で閉じている。さらに、この蓋部材１２から各ステータコア溝１１にわたって軸方向に貫通させた複数のボルト１３を前記モータケース１の小径部１ａに螺合させることにより、ステータコア４がモータケース１の内周に固定されている。その他の構成は、図１の実施形態の場合と同様である。
【００２６】
この実施形態の場合、ステータコア４をモータケース１の内周に固定するために、モータケース１やステータコア４に複雑な構造を採用することなく、ステータコア溝１１をボルト１３の挿通孔として代用することにより、ステータコア４をモータケース１の内周に簡単に固定することができる。
【００２７】
図３は、この発明の第３の実施形態を示す。図３（Ａ）はこの実施形態の車両駆動用モータの正面図を示し、図３（Ｂ）は図３（Ａ）の IIIＢ− IIIＢ矢視断面図を示す。この車両駆動用モータは、図１に示す実施形態において、各ステータコア溝１１の両端を閉じる一対のリング状の蓋部材１２に、ステータコア溝１１に連通しステータコイル５に向けて開口する冷却用の孔１４を設けている。なお、冷却用の孔１４に代えて、ステータコイル５に向けて開口する溝を設けても良い。その他の構成は、図１の実施形態の場合と同様である。
【００２８】
この実施形態の場合、給油路８からステータコア溝１１に供給される潤滑油の一部が、蓋部材１２の孔１４（または溝）から発熱源であるステータコイル５に噴射されるので、ステータコイル５を直冷することができ、ステータ２の冷却効率をより向上させることができる。
【００２９】
図４は、この発明の第４の実施形態を示す。図４（Ａ）はこの実施形態の車両駆動用モータの正面図を示し、図４（Ｂ）は図３（Ａ）のIVＢ−IVＢ矢視断面図を示す。この車両駆動用モータは、図１に示す実施形態において、ステータコア溝１１の両端を閉じる一対のリング状の蓋部材１２を、軸方向に延びてステータコア４の端面に当接する横片部１２ａと、径方向に延びてモータケース１の内径面に当接する立片部１２ｂとでなる断面Ｌ字状とされている。また、モータケース１の給油路８は、モータケース１の一端面から軸方向に延びて設けられた軸方向給油路部８ａと、この軸方向給油路部８ａに連通し径方向に延びて蓋部材１２の内側位置におけるモータケース１の内径面に開口する径方向給油路部８ｃとでなる。また、モータケース１の排油路９は、モータケース１の他端面から軸方向に延びて設けられた軸方向排油路部９ａと、この軸項排油路部９ａに連通し径方向に延びて蓋部材１２の内側位置におけるモータケース１の内径面に開口する径方向排油路部９ｃとでなる。蓋部材１２には、ステータコイル５に向けて開口する冷却用の孔１４を設けている。その他の構成は、図１の実施形態の場合と同様である。
【００３０】
この実施形態の場合、外部からモータケース１の給油路８に圧送された潤滑油は、給油路８の径方向給油路部８ｃから、ステータコア溝１１の一端を閉じる蓋部材１２のリング状となった内部空間１５を経て、各ステータコア溝１１の一端側に導入される。各ステータコア溝１１の他端に流れた潤滑油は、ステータコア溝１１の他端を閉じる蓋部材１２のリング状となった内部空間１５を経て、排油路９の径方向排油路部９ｃから外部に排出される。
【００３１】
このように、この実施形態では、ステータコア溝１１の一端を閉じる蓋部材１２のリング状の内部空間１５が給油路８から導入される潤滑油を周方向に等配される各ステータコア溝１１に分配供給する経路となる。また、ステータコア溝１１の他端を閉じる蓋部材１２のリング状の内部空間１５が各ステータコア溝１１を流れた潤滑油を排油路９の径方向排油路部９ｃに集める経路となる。このため、図１のように、給油路８や排油路９の一部として、周方向に延びる給油周溝部８ｂや排油周溝部９ｂをモータケース１の内径面に設ける必要がなく、潤滑油の経路を簡単に構成できる。
給油路８からステータコア溝１１に供給される潤滑油の一部が、蓋部材１２の孔１４ステータコイル５に噴射されて、ステータコイル５が直冷されることは図３の実施形態の場合と同様である。
【００３２】
図５は、この発明の第５の実施形態を示す。図５（Ａ）はこの実施形態の車両駆動用モータの正面図を示し、図５（Ｂ）は図５（Ａ）のＶＢ−ＶＢ矢視断面図を示す。この車両駆動用モータは、例えば図４に示す実施形態において、ステータコア４の隣接する個別コア部４ａ，４ａ間を、高熱伝導率を有する充填材１８でモールドしたものである。
高熱伝導率を有する充填材１８の材質としては、モールド樹脂の中で、平均的な高熱伝導率のものよりも高熱伝導率が低い材質であれば良いが、例えば、樹脂材料に熱伝導率を高めるカーボンやセラミックス等の材料を充填したものが使用できる。
なお、給油路８は、モータケース１の一端面から軸方向に延びて設けられた軸方向給油路部８ａと、モータケース１の内径面に周方向に延びて設けられ、前記軸方向給油路部８ａに連通する給油周溝部８ｂとでなる。排油路９は、モータケース１の他端面から軸方向に延びて設けられた軸方向排油路部９ａと、モータケース１の内径面に周方向に延びて設けられ、前記軸方向排油路部９ａに連通する排油周溝部９ｂとでなる。
【００３３】
ステータコア溝１１の両端を閉じる一対のリング状の蓋部材１２が、軸方向に延びてステータコア４の端面に当接する横片部１２ａと、径方向に延びてモータケース１の内径面に当接する立片部１２ｂとでなる断面Ｌ字状とされていることや、その蓋部材１２にステータコイル５に向けて開口する冷却用の孔１４が設けられ、給油路８からステータコア溝１１に供給される潤滑油の一部が、蓋部材１２の孔１４からステータコイル５に噴射されて、ステータコイル５が直冷されることなど、その他の構成は図４の実施形態の場合と同様である。
【００３４】
この実施形態によると、ステータコア４の隣接する個別コア部４ａ，４ａの間を高伝導率を有する充填材１８でモールドしているので、ステータ２における潤滑油で冷却できない部分のコイル発熱を熱容量の大きなステータコア４に放熱することができ、放熱効果をより向上させることができる。
【００３５】
なお、ステータコア４の隣接する個別コア部４ａ，４ａの間を高伝導率を有する充填材１８でモールドする上記構成は、図１〜図３や、図５の実施形態の車両駆動用モータに適用しても、同様の効果を上げることができる。
【００３６】
図６は、この発明の第６の実施形態を示す。図６（Ａ）はこの実施形態の車両駆動用モータの正面図を示し、図６（Ｂ）は図６（Ａ）のVIＢ−VIＢ矢視断面図を示す。この車両駆動用モータは、図１に示す実施形態において、リング状蓋部材１２を設ける代わりに、リング状のステータカバー１６を設けたものである。ステータカバー１６は、ステータ２の各個別コア部４ａのステータティース（磁極歯）となる内径側端を除く内周の全体と両側の端面とを覆っており、外周縁がモータケース１の内周面に密接する。ステータカバー１６は、内周側円筒部１６ａとその両側の一対の側板部１６ｂとで構成される。内周側円筒部１６ａには、各個別コア部４ａのステータティース（磁極歯）を露出させる開口（図示せず）が設けられている。なお、ステータカバー１６は、この例では一体部品とされているが、対向する一対の分割ステータカバーで構成しても良い。
モータケース１の給油路８は、モータケース１の一端面から軸方向に延びて設けられた軸方向給油路部８ａと、この軸方向給油路部８ａに連通し径方向に延びてステータカバー１６の内側位置におけるモータケース１の内径面に開口する径方向給油路部８ｃとでなる。モータケース１の排油路９は、モータケース１の他端面から軸方向に延びて設けられた軸方向排油路部９ａと、この軸方向排油路部９ａに連通し径方向に延びてステータカバー１６の内側位置におけるモータケース１の内径面に開口する径方向排油路部９ｃとでなる。その他の構成は、図１の実施形態の場合と同様である。
【００３７】
この実施形態では、給油路８から供給された冷却油兼用の潤滑油が、ステータカバー１６内の空洞部１７を満たし、排油路９から排出される。空洞部１７内のステータ２に対する片側の流入側部分の潤滑油は、各個別コア部４ａの間の隙間、およびステータコア溝１１を通ってもう片側の流出側部分に流れる。このため、図１のように、給油路８や排油路９の一部として、周方向に延びる給油周溝部８ｂや排油周溝部９ｂをモータケース１の内径面に設ける必要はない。
【００３８】
この実施形態では、ステータカバー１６内の空洞部１７を満たす油浴にステータコイル５の全体およびステータコア４の殆どの部分が浸漬され、潤滑油によって油冷却される。そのため、より一層効率良く、ステータ２を冷却することができる。
【符号の説明】
【００３９】
１…モータケース
１ａ…モータケースの小径部
２…ステータ
３…ロータ
４…ステータコア
５…ステータコイル
８…給油路
８ａ…軸方向給油路部
８ｂ…給油周溝部
８ｃ…径方向給油路部
９…排油路
９ａ…軸方向排油路部
９ｂ…排油周溝部
９ｃ…径方向排油路部
１１…ステータコア溝
１２…蓋部材
１２ａ…横片部
１２ｂ…立片部
１３…ボルト
１４…冷却用孔
１６…ステータカバー
１８…充填材
【図１】
2010088287.tif 000003
【図２】
2010088287.tif 000004
【図３】
2010088287.tif 000005
【図４】
2010088287.tif 000006
【図５】
2010088287.tif 000007
【図６】
2010088287.tif 000008